(57)【要約】  ワイヤレス接続を実現する方法及びシステムであって、第１端末は第２端末ユーザーの生体特徴を取得し、取得した第２端末ユーザーの生体特徴に基づいて対応の生体特徴コードを生成することと、第１端末は生成した生体特徴コードから連続バイトのコード情報を第１端末のメディアアクセス制御層（ＭＡＣ）アドレスとして抽出して、第２端末にブロードキャスト送信することと、第２端末によって受信された第１端末のＭＡＣアドレスが予め記憶された第２端末ユーザーの生体特徴コードにマッチングすると、ワイヤレス接続を確立することと、を含む。上記技術案は、第１端末が第２端末ユーザーの生体特徴を取得して変換して生成した生体特徴コードから、連続バイトのコード情報を第１端末のＭＡＣアドレスとして抽出して第２端末に送信し、第２端末ユーザーの生体特徴コードとマッチングしてワイヤレス接続を実現することにより、ワイヤレス接続プロセスを簡素化し、ワイヤレス接続プロセスにかかる時間を省く。【選択図】図１
2018530204.tif 000002
【特許請求の範囲】
【請求項１】
第１端末は第２端末ユーザーの生体特徴を取得し、取得した第２端末ユーザーの生体特徴に基づいて、対応の生体特徴コードを生成することと、
第１端末は生成した生体特徴コードから連続バイトのコード情報を第１端末のメディアアクセス制御層のＭＡＣアドレスとして抽出して、第２端末にブロードキャスト送信することと、
第２端末によって受信された第１端末のＭＡＣアドレスが予め記憶された第２端末ユーザーの生体特徴コードにマッチングすると、ワイヤレス接続を確立することと、を含むワイヤレス接続を実現する方法。
【請求項２】
第１端末と第２端末がワイヤレス接続を確立した後、前記第２端末から前記第１端末へのデータ情報の送信を許容し、前記第１端末から前記第２端末への情報送信を禁止するように設定することをさらに含む請求項１に記載の方法。
【請求項３】
前記生体特徴は、指紋、顔、虹彩又は声紋を含む請求項１又は２に記載の方法。
【請求項４】
前記ワイヤレス接続は、ブルートゥース接続又はワイヤレスローカルエリアネットワークのＷＩＦＩ接続を含む請求項１又は２に記載の方法。
【請求項５】
前記第２端末ユーザーの生体特徴を取得する前に、前記第１端末及び／又は前記第２端末は予め設置されたセンサにより体感モーション情報を取得し、取得した体感モーション情報と予め設定された体感マッチング情報とをマッチングし、マッチングが合格すると、前記ワイヤレス接続のプロセスを開始することをさらに含む請求項１又は２に記載の方法。
【請求項６】
第１端末及び第２端末を備えるワイヤレス接続を実現するシステムであって、
第１端末は、
第２端末ユーザーの生体特徴を取得し、取得した第２端末ユーザーの生体特徴に基づいて、対応の生体特徴コードを生成するように設定された取得変換ユニットと、
生成した生体特徴コードから連続バイトのコード情報を第１端末のメディアアクセス制御層のＭＡＣアドレスとして抽出して、第２端末にブロードキャスト送信するように設定された抽出ブロードキャストユニットと、を備え、
第２端末は、
第２端末によって受信された第１端末のＭＡＣアドレスが予め記憶された第２端末ユーザーの生体特徴コードにマッチングすると、ワイヤレス接続を確立するように設定されたマッチング接続ユニットを備えるワイヤレス接続を実現するシステム。
【請求項７】
前記第１端末は、第２端末とワイヤレス接続を確立した後、第２端末への情報送信を禁止するように設定された第１設定ユニットをさらに備え、
前記第２端末は、第１端末とワイヤレス接続を確立した後、第１端末へのデータ情報の送信を許容するように設定された第２設定ユニットをさらに備える請求項６に記載のシステム。
【請求項８】
前記生体特徴は、指紋、顔、虹彩又は声紋を含む請求項６又は７に記載のシステム。
【請求項９】
前記ワイヤレス接続は、ブルートゥース接続又はワイヤレスローカルエリアネットワークのＷＩＦＩ接続を含む請求項６又は７に記載のシステム。
【請求項１０】
前記第１端末は、
予め設置されたセンサにより体感モーション情報を取得し、取得した体感モーション情報と予め設定された体感マッチング情報とをマッチングし、マッチングが合格すると、ワイヤレス接続プロセスを開始する第１体感ユニットをさらに備える請求項６又は７に記載のシステム。
【請求項１１】
前記第２端末は、
予め設置されたセンサにより体感モーション情報を取得し、取得した体感モーション情報と予め設定された体感マッチング情報とをマッチングし、マッチングが合格すると、ワイヤレス接続プロセスを開始する第２体感ユニットをさらに備える請求項６又は７に記載のシステム。
【請求項１２】
請求項１〜５のいずれか一項に記載の方法を実行するためのコンピュータ実行可能命令が記憶されるコンピュータ記憶媒体。
【発明の詳細な説明】
【技術分野】
【０００１】
本明細書は近距離無線通信技術に関するが、それに限定されず、特にワイヤレス接続を実現する方法及びシステムに関する。
【背景技術】
【０００２】
従来、様々な携帯端末がブルートゥース又はＷＩＦＩにより接続される時、端末を手動で検索する必要があり、端末を検索した後、通知バーに表示し、決定したペアリングキーによって、ペアリングを行うことを確認し、接続過程が煩瑣で時間がかかる。
【発明の概要】
【発明が解決しようとする課題】
【０００３】
以下、本明細書で詳細に説明されるテーマの概要を説明する。本概要は特許請求の範囲の保護範囲を限定するものではない。
【０００４】
本発明の実施例は、ワイヤレス接続を実現する方法及びシステムを提供し、どのようにワイヤレス接続プロセスを簡素化し、時間を省くかという技術的問題を解決する。
【課題を解決するための手段】
【０００５】
本発明の実施例は、ワイヤレス接続を実現する方法を提供し、
第１端末は第２端末ユーザーの生体特徴を取得し、取得した第２端末ユーザーの生体特徴に基づいて、対応の生体特徴コードを生成することと、
第１端末は生成した生体特徴コードから連続バイトのコード情報を第１端末のメディアアクセス制御層ＭＡＣのアドレスとして抽出して、第２端末にブロードキャスト送信することと、
第２端末によって受信された第１端末のＭＡＣアドレスが予め記憶された第２端末ユーザーの生体特徴コードにマッチングすると、ワイヤレス接続を確立することと、を含む。
【０００６】
選択的に、第１端末と第２端末がワイヤレス接続を確立した後、前記第２端末から前記第１端末へのデータ情報の送信を許容し、前記第１端末から前記第２端末への情報送信を禁止するように設定することをさらに含む。
【０００７】
選択的に、生体特徴は、指紋、顔、虹彩又は声紋を含む。
【０００８】
選択的に、ワイヤレス接続は、ブルートゥース接続又はワイヤレスローカルエリアネットワークのＷＩＦＩ接続を含む。
【０００９】
選択的に、第２端末ユーザーの生体特徴を取得する前に、該方法は、
前記第１端末及び／又は前記第２端末は予め設置されたセンサにより体感モーション情報を取得し、取得した体感モーション情報と予め設定された体感マッチング情報とをマッチングし、マッチングが合格すると、前記ワイヤレス接続のプロセスを開始することをさらに含む。
【００１０】
別の態様によれば、本願は、ワイヤレス接続を実現するシステムをさらに提供し、第１端末及び第２端末を備え、
第１端末は、
第２端末ユーザーの生体特徴を取得し、取得した第２端末ユーザーの生体特徴に基づいて、対応の生体特徴コードを生成するように設定された取得変換ユニットと、
生成した生体特徴コードから連続バイトのコード情報を第１端末のＭＡＣアドレスとして抽出して、第２端末にブロードキャスト送信するように設定された出ブロードキャストユニットと、を備え、
第２端末は、
第２端末によって受信された第１端末のＭＡＣアドレスが予め記憶された第２端末ユーザーの生体特徴コードにマッチングすると、ワイヤレス接続を確立するように設定されたマッチング接続ユニット、を備える。
【００１１】
選択的に、第１端末は、第２端末とワイヤレス接続を確立した後、第２端末への情報送信を禁止するように設定された第１設定ユニットをさらに備え、
前記第２端末は、第１端末とワイヤレス接続を確立した後、第１端末へのデータ情報の送信を許容するように設定された第２設定ユニットをさらに備える。
【００１２】
選択的に、生体特徴は、指紋、顔、虹彩又は声紋を含む。
【００１３】
選択的に、ワイヤレス接続は、ブルートゥース接続又はＷＩＦＩ接続を含む。
【００１４】
選択的に、第１端末は、予め設置されたセンサにより体感モーション情報を取得し、取得した体感モーション情報と予め設定された体感マッチング情報とをマッチングし、マッチングが合格すると、ワイヤレス接続プロセスを開始するように設定された第１体感ユニットをさらに備える。
【００１５】
選択的に、第２端末は、予め設置されたセンサにより体感モーション情報を取得し、取得した体感モーション情報と予め設定された体感マッチング情報とをマッチングし、マッチングが合格すると、ワイヤレス接続プロセスを開始するように設定された第２体感ユニットをさらに備える。
【００１６】
本発明の実施例は、上記方法を実行するためのコンピュータ実行可能命令が記憶されるコンピュータ記憶媒体をさらに提供する。
【発明の効果】
【００１７】
関連技術に比べて、本願の技術案は、第１端末は第２端末ユーザーの生体特徴を取得し、取得した第２端末ユーザーの生体特徴に基づいて、対応の生体特徴コードを生成することと、第１端末は生成した生体特徴コードから連続バイトのコード情報を第１端末のメディアアクセス制御層（ＭＡＣ）アドレスとして抽出して、第２端末にブロードキャスト送信することと、第２端末によって受信された第１端末のＭＡＣアドレスが予め記憶された第２端末ユーザーの生体特徴コードにマッチングすると、ワイヤレス接続を確立することと、を含む。本発明の実施例は、第１端末が第２端末ユーザーの生体特徴を取得して変換して生成した生体特徴コードから、連続バイトのコード情報を第１端末のＭＡＣアドレスとして抽出して第２端末に送信し、第２端末ユーザーの生体特徴コードとマッチングしてワイヤレス接続を実現することにより、ワイヤレス接続プロセスを簡素化し、ワイヤレス接続プロセスにかかる時間を省く。
【００１８】
図面及び詳細な説明を閲覧して理解した後においては、他の態様が明白になる。
【図面の簡単な説明】
【００１９】
【図１】図１は、本発明の実施例に係るワイヤレス接続を実現する方法のフローチャートである。
【図２】図２は、本発明の実施例に係るワイヤレス接続を実現するシステムの構成図である。
【図３】図３は、本発明の第１実施例に係る方法のフローチャートである。
【図４】図４は、本発明の第２実施例に係る方法のフローチャートである。
【発明を実施するための形態】
【００２０】
以下、図面を参照しながら本発明の実施例について詳細に説明する。なお、矛盾が生じない限り、本願の実施例及び実施例の特徴は任意に組み合わせることができる。
【００２１】
図１は、本発明の実施例に係るワイヤレス接続を実現する方法のフローチャートであり、図１に示すように、以下のステップ１００〜１０２を含む。
【００２２】
ステップ１００、第１端末は、第２端末ユーザーの生体特徴を取得し、取得した第２端末ユーザーの生体特徴に基づいて、対応の生体特徴コードを生成する。
【００２３】
このステップでは、生体特徴は、指紋、顔、虹彩又は声紋を含む。
【００２４】
ステップ１０１、第１端末は、生成した生体特徴コードから連続バイトのコード情報を第１端末のメディアアクセス制御層（ＭＡＣ）アドレスとして抽出して、第２端末にブロードキャスト送信する。
【００２５】
なお、生体特徴コードは「１７  ａ６  ｃ６  ６ｂ  ２０  ７ｆ  …  ｆｆ  ａ５  １５  ａ２  ｄ４  ａ６  」のようなコードシーケンスであるため、連続バイトのコード情報をＭＡＣアドレスとして抽出して、第２端末にブロードキャスト送信することができ、抽出するコード情報の長さがＭＡＣアドレスと同じである。また、指紋を生体特徴とすることを例に、どの指の指紋でステップ１０２の生体特徴コードマッチングを行うかを人為的に設定する必要があり、すなわち取得した指紋は、第２端末に予め記憶された第２端末ユーザーの生体特徴コードの指紋でなければならない。第２端末に予め記憶された第２端末ユーザーの生体特徴コードは理論上、第２端末ユーザーの完全な生体特徴コードであり、例えば、第１端末は、第２端末ユーザーの左手親指の指紋を取得して本発明の実施例の方法に従ってワイヤレス接続を行う場合、第２端末は理論上、第２端末ユーザーの完全な左手親指の生体特徴コードを記憶すべきである。
【００２６】
ステップ１０２、第２端末によって受信された第１端末のＭＡＣアドレスが予め記憶された第２端末ユーザーの生体特徴コードにマッチングすると、ワイヤレス接続を確立する。
【００２７】
なお、ここで、「マッチングする」とは、予め記憶された第２端末ユーザーの生体特徴コードが第１端末のＭＡＣアドレスと同じコード情報を含むことを意味する。
【００２８】
本発明の実施例に係る方法は、第１端末と第２端末がワイヤレス接続を確立した後、第２端末から第１端末へのデータ情報の送信を許容し、第１端末から第２端末への情報送信を禁止するように設定することをさらに含む。
【００２９】
なお、ここで、第１端末と第２端末は相対的なものであり、第２端末から第１端末へのデータ情報の送信を許容するように設定することは、第２端末に第１端末ユーザーの生体特徴を入力し、生体特徴を生体特徴コードに変換した後、連続バイトのコード情報を第１端末のＭＡＣアドレスとして抽出して、第２端末に送信してマッチングするという条件に基づき行われ、第１端末が第２端末にデータ情報を送信する必要がある場合、第１端末に第２端末ユーザーの生体特徴を入力し、生体特徴を生体特徴コードに変換した後、連続バイトのコード情報を第２端末のＭＡＣアドレスとして抽出して、第１端末に送信してマッチングするという条件を満たさなければならない。
【００３０】
ワイヤレス接続は、ブルートゥース接続又はワイヤレスローカルエリアネットワークのＷＩＦＩ接続を含む。
【００３１】
第２端末ユーザーの生体特徴を取得する前に、本発明の実施例に係る方法は、
第１端末及び／又は第２端末は予め設置されたセンサにより体感モーション情報を取得し、取得した体感モーション情報と予め設定された体感マッチング情報とをマッチングし、マッチングが合格すると、ワイヤレス接続プロセスを開始することをさらに含む。
【００３２】
本発明の実施例は、第１端末が第２端末ユーザーの生体特徴を取得して変換して生成した生体特徴コードから、連続バイトのコード情報を第１端末のＭＡＣとして抽出して第２端末に送信し、第２端末ユーザーの生体特徴コードとマッチングしてワイヤレス接続を実現することにより、ワイヤレス接続プロセスを簡素化し、ワイヤレス接続プロセスにかかる時間を省く。
【００３３】
本発明の実施例は、上記方法を実行するためのコンピュータ実行可能な命令が記憶されるコンピュータ記憶媒体をさらに提供する。
【００３４】
図２は、本発明の実施例に係るワイヤレス接続を実現するシステムの構成図であり、図２に示すように、第１端末及び第２端末を備え、
第１端末は、
第２端末ユーザーの生体特徴を取得し、取得した第２端末ユーザーの生体特徴に基づいて、対応の生体特徴コードを生成するように設定された取得変換ユニットと、
生成した生体特徴コードから連続バイトのコード情報を第１端末のＭＡＣアドレスとして抽出して、第２端末にブロードキャスト送信するように設定された抽出ブロードキャストユニットと、を備え、
第２端末は、
第２端末によって受信された第１端末のＭＡＣアドレスが予め記憶された第２端末ユーザーの生体特徴コードにマッチングすると、ワイヤレス接続を確立するように設定されたマッチング接続ユニットを備える。
【００３５】
第１端末は、第２端末とワイヤレス接続を確立した後、第２端末への情報送信を禁止するように設定された第１設定ユニットをさらに備え、
第２端末は、第１端末とワイヤレス接続を確立した後、第１端末へのデータ情報の送信を許容するように設定された第２設定ユニットをさらに備える。
【００３６】
生体特徴は、指紋、顔、虹彩又は声紋を含む。
【００３７】
ワイヤレス接続は、ブルートゥース接続又はＷＩＦＩ接続を含む。
【００３８】
第１端末は、予め設置されたセンサにより体感モーション情報を取得し、取得した体感モーション情報と予め設定された体感マッチング情報とをマッチングし、マッチングが合格すると、ワイヤレス接続プロセスを開始するように設定された第１体感ユニットをさらに備える。
【００３９】
第２端末は、予め設置されたセンサにより体感モーション情報を取得し、取得した体感モーション情報と予め設定された体感マッチング情報とをマッチングし、マッチングが合格すると、ワイヤレス接続プロセスを開始するように設定された第２体感ユニットをさらに備える。
【００４０】
以下、具体的な実施例を参照して、本発明に係る方法について明確かつ詳細に説明する。実施例は、本発明を説明するものであるに過ぎず、本発明に係る方法の保護範囲を限定するものではない。
【００４１】
実施例１
本実施例では、第１端末ユーザーの第１端末と第２端末ユーザーの第２端末を例にワイヤレス接続プロセスを説明し、ワイヤレス接続はブルートゥース、ＷＩＦＩ等であってもよい。
【００４２】
本実施例では、ブルートゥースのワイヤレス接続を例に説明し、第１端末ユーザーの第１端末はセンサが予め設置され、体感モーション情報を取得可能であり、第２端末ユーザーの第２端末もセンサが予め設置され、体感モーション情報を取得可能であり、第１端末と第２端末に、いずれも所定時間内に端末を３回上下移動させるという予め設定された体感マッチング情報が記憶されているとする場合、体感モーション情報が体感マッチング情報要件を満たすと、ブルートゥース接続プロセスを開始する。また、本実施例では、第２端末ユーザーの左手親指の指紋を生体指紋として説明し、当然、ユーザーは使用習慣に応じてほかの指を生体指紋としてもよく、虹彩、声紋等を生体指紋としてもよい。
【００４３】
図３は、本発明の第１実施例に係る方法のフローチャートであり、図３に示すように、以下のステップ３００〜３０５を含む。
【００４４】
ステップ３００、第１端末は予め設置されたセンサによって第１端末ユーザーが所定時間内に端末を３回上下移動させる体感モーション情報を取得し、取得した体感モーション情報と予め記憶された体感マッチング情報とをマッチングし、ブルートゥース接続プロセスを開始し、ここで、ブルートゥース接続プロセスを開始する際に、本実施例の方法を採用すると、ブルートゥース接続プロセスを迅速に開始でき、時間を省く。
【００４５】
ステップ３０１、第２端末は予め設置されたセンサによって第２端末ユーザーが所定時間内に端末を３回上下移動させる体感モーション情報を取得し、取得した体感モーション情報と予め記憶された体感マッチング情報とをマッチングし、ブルートゥース接続プロセスを開始する。
【００４６】
ステップ３００とステップ３０１は、時間順序を問わずに２つの端末で行われる。
【００４７】
第２端末が、第１端末に、名刺、ピクチャ又はドキュメント等のデータ情報を送信する必要があり、且つ、実施例では、第１端末に第２端末ユーザーの生体指紋を入力し、変換して生体特徴コードを生成し、抽出したＭＡＣアドレスを第２端末にブロードキャストして生体特徴コードマッチングを完了する時にしか第２端末から第１端末へのデータ情報の送信を行うことができないとする場合、ステップ３０２を実行する。
【００４８】
ステップ３０２、第２端末ユーザーは第１端末に左手親指の指紋を入力し、第１端末は、入力された第２端末ユーザーの左手親指の指紋に基づいて、対応の生体特徴コードを生成する。
【００４９】
ステップ３０３、第１端末は、生成した生体特徴コードから連続バイトのコード情報を第１端末のＭＡＣアドレスとして抽出してブロードキャスト送信する。
【００５０】
ステップ３０４、第２端末は、第１端末からブロードキャスト送信されたＭＡＣアドレスを受信し、受信した第１端末のＭＡＣアドレスと予め記憶された第２端末ユーザーの生体特徴コードとをマッチングし、マッチングが合格すると、ブルートゥース接続を確立し、ここで、第２端末には左手親指の指紋が予め記憶されており、同じ変換方式で生体特徴コードを取得するため、第２端末ユーザーの生体特徴コードは必ず第１端末からブロードキャスト送信されたＭＡＣアドレスに含まれるコード部分を含む。
【００５１】
ステップ３０５、第２端末は、確立したブルートゥース接続を介して、名刺、ピクチャ又はドキュメント等のデータ情報を第１端末に送信する。
【００５２】
第１端末が第２端末に名刺、ピクチャ又はドキュメント等のデータ情報を送信する必要があるとする場合、実施例で設定されたルールに従って、第２端末に第１端末ユーザーの生体指紋を入力し、変換して生体特徴コードを生成し、抽出したＭＡＣアドレスを第１端末にブロードキャストして生体特徴コードマッチングを完了する時にしか、第１端末から第２端末へのデータ情報の送信を行うことができない。
【００５３】
実施例２
本実施例では、ＷＩＦＩのワイヤレス接続を例に説明し、第１端末ユーザーの第１端末にはセンサが予め設置され、体感モーション情報を取得可能であり、第２端末ユーザーの第２端末にもセンサが予め設置され、体感モーション情報を取得可能であり、第１端末と第２端末に、いずれも所定時間内に端末を３回上下移動させるという予め設定された体感マッチング情報が記憶されているとする場合、体感モーション情報が体感マッチング情報要件を満たすと、ＷＩＦＩ接続プロセスを開始する。また、本実施例では、第２端末ユーザーの左手親指の指紋を生体指紋として説明し、当然、ユーザーは使用習慣に応じてほかの指を生体指紋としてもよく、虹彩、声紋等を生体指紋としてもよい。
【００５４】
図４は、本発明の第２実施例に係る方法のフローチャートであり、図４に示すように、以下のステップ４００〜４０５を含む。
【００５５】
ステップ４００、第１端末は、予め設置されたセンサによって第１端末ユーザーが所定時間内に端末を３回上下移動させる体感モーション情報を取得し、取得した体感モーション情報と予め記憶された体感マッチング情報とをマッチングし、ＷＩＦＩ接続プロセスを開始し、ここで、ブルートゥース接続プロセスを開始する際に、本実施例の方法を採用すると、ＷＩＦＩ接続プロセスを迅速に開始でき、時間を省く。
【００５６】
ステップ４０１、第２端末は、予め設置されたセンサによって第２端末ユーザーが所定時間内に端末を３回上下移動させる体感モーション情報を取得し、取得した体感モーション情報と予め記憶された体感マッチング情報とをマッチングし、ＷＩＦＩ接続プロセスを開始する。
【００５７】
ステップ４００とステップ４０１は、時間順序を問わずに２つの端末で行われる。
【００５８】
第２端末が第１端末に、名刺、ピクチャ又はドキュメント等のデータ情報を送信する必要があり、且つ、実施例では、第１端末に第２端末ユーザーの生体指紋を入力し、変換して生体特徴コードを生成し、抽出したＭＡＣアドレスを第２端末にブロードキャストして生体特徴コードマッチングを完了する時にしか、第２端末から第１端末へのデータ情報の送信を行うことができないとする場合、ステップ４０２を実行する。
【００５９】
ステップ４０２、第２端末ユーザーは、第１端末に左手親指の指紋を入力し、第１端末は、入力された第２端末ユーザーの左手親指の指紋に基づいて、対応の生体特徴コードを生成する。
【００６０】
ステップ４０３、第１端末は、生成した生体特徴コードから連続バイトのコード情報を第１端末のＭＡＣアドレスとして抽出してブロードキャスト送信する。
【００６１】
ステップ４０４、第２端末は、第１端末からブロードキャスト送信されたＭＡＣアドレスを受信し、受信した第１端末のＭＡＣアドレスと予め記憶された第２端末ユーザーの生体特徴コードとをマッチングし、マッチングが合格すると、ＷＩＦＩ接続を確立し、ここで、第２端末は、左手親指の指紋が予め記憶されており、同じ変換方式で生体特徴コードを取得するため、第２端末ユーザーの生体特徴コードは必ず第１端末からブロードキャスト送信されたＭＡＣアドレスに含まれるコード部分を含む。
【００６２】
ステップ４０５、第２端末は、確立したＷＩＦＩ接続を介して、名刺、ピクチャ又はドキュメント等のデータ情報を第１端末に送信する。
【００６３】
第１端末が第２端末に名刺、ピクチャ又はドキュメント等のデータ情報を送信する必要があるとする場合、実施例で設定されたルールに従って、第２端末に第１端末ユーザーの生体指紋を入力し、変換して生体特徴コードを生成し、抽出したＭＡＣアドレスを第１端末にブロードキャストして生体特徴コードマッチングを完了する時にしか、第１端末から第２端末へのデータ情報の送信を行うことができない。
【００６４】
なお、ブルートゥース、ＷＩＦＩのワイヤレス接続プロセスを除き、マッチングしなければ接続できない他の近距離無線通信にも、本発明の実施例に係る方法を適用できる。
【００６５】
当業者であれば、上記方法のすべて又は一部のステップを、コンピュータ読み取り可能な記憶媒体、例えば読み出し専用メモリ、磁気ディスク又は光ディスク等に記憶されるプログラムによって関連ハードウェア（例えばプロセッサ）に命令を出して行うことができる、と理解できる。選択的に、上記実施例のすべて又は一部のステップを、１つ又は複数の集積回路によって実現してもよい。相応に、上記実施例の各モジュール／ユニットはハードウェアの形態で実現されてもよく、例えば集積回路によって対応する機能を実現し、ソフトウェア機能モジュールの形態で実現されてもよく、例えば、プロセッサによってメモリに記憶されたプログラム／命令を実行して対応する機能を実現する。本発明は、特定の形態のハードウェアとソフトウェアの組合せに限定されるものではない。
【００６６】
当業者であれば、本発明の技術案の精神及び範囲を逸脱せずに本発明の技術案に変更や同等置換を行うことができ、これらの変更や同等置換は本発明の特許請求の範囲に属する。
【産業上の利用可能性】
【００６７】
上記技術案によれば、ワイヤレス接続プロセスを簡素化し、ワイヤレス接続プロセスにかかる時間を省く。
【図１】
2018530204.tif 000003
【図２】
2018530204.tif 000004
【図３】
2018530204.tif 000005
【図４】
2018530204.tif 000006
【国際調査報告】
2018530204.tif 000007
2018530204.tif 000008
2018530204.tif 000009
2018530204.tif 000010
2018530204.tif 000011